(57)【要約】【課題】簡単な構成でありながら、当たりを光や音によって知らせることができる魚信報知器を提供する。【解決手段】釣竿に着脱可能に固定されるクランプと、該クランプの一方の挟持板上に設けられ、電子発光器または／および電子音響器に電池および釣竿に向かう押圧によりオンする押しボタンスイッチを接続した電気回路と、一端を回動軸として前記押しボタンスイッチをオン可能に揺動するアクチュエータと、前記電子発光器の発光部を視認可能に前記電気回路およびアクチュエータを内蔵して前記一方の挟持板に取付けられるケーシングと、前記アクチュエータの他端に前記ケーシングから突出して設けられ、釣糸のテンション増加により前記アクチュエータを前記押しボタンスイッチのオン側に揺動する釣糸受けとからなる。ケーシングには釣糸の外れ止めカバーを設けた。釣糸受けはアクチュエータ他端に回転可能に設けたプーリとする。【選択図】図１
2008005748.tif 000002
【特許請求の範囲】
【請求項１】
釣竿に着脱可能に固定されるクランプと、該クランプの一方の挟持板上に設けられ、電子発光器または／および電子音響器に電池および釣竿に向かう押圧によりオンする押しボタンスイッチを接続した電気回路と、一端を回動軸として前記押しボタンスイッチをオン可能に揺動するアクチュエータと、前記電子発光器の発光部を視認可能に前記電気回路およびアクチュエータを内蔵して前記一方の挟持板に取付けられるケーシングと、前記アクチュエータの他端に釣糸を引っ掛け可能に前記ケーシングから突出して設けられ、釣糸のテンション増加により前記アクチュエータを前記押しボタンスイッチをオン側に揺動する釣糸受けとからなることを特徴とした魚信報知器。
【請求項２】
ケーシングに釣糸受けの一部を覆って釣糸の外れ止めカバーを設けた請求項１記載の魚信報知器。
【請求項３】
釣糸受けはアクチュエータ他端に回転可能に設けたプーリである請求項１または２記載の魚信報知器。
【請求項４】
電気回路の電源スイッチとして、さらにオルタネイトスイッチを構成した請求項１、２または３記載の魚信報知器。
【発明の詳細な説明】
【技術分野】
【０００１】
この発明は、当たりがあったことを光や音で知らせる魚信報知器に関するものである。
【背景技術】
【０００２】
従来から、釣竿に着脱可能に取付けられ、当たりがあったことを光や音で知らせる魚信報知器は公知である（特許文献１等）。即ち、従来からの魚信報知器は、釣糸の繰り出し量や釣竿の撓りを監視し、これらに変化があったときＬＥＤやブザーをオンするように構成され、当該構成の魚信報知器によアクチュエータ、浮子に比べて、より容易且つ明確に当たりがあったことを知ることができ、特に夜釣りに便利である。
【０００３】
【特許文献１】実用信案登録第３０７３５８３号公報
【発明の開示】
【発明が解決しようとする課題】
【０００４】
ところで、従来の魚信報知器のセンサ部は、上述のように、釣糸の繰り出し量や釣竿の撓りを監視するものであるが、これらを量的に監視する場合、回路構成として初期値と変化値を比較する手段が必要となるため、回路が複雑となり、コストも高い。
【０００５】
本発明は、上述した課題を解決するためになされたものであり、その目的とするところは、簡単な構成でありながら、当たりを光や音によって知らせることができる魚信報知器を提供することである。
【課題を解決するための手段】
【０００６】
上述した目的を達成するために本発明では、釣竿に着脱可能に固定されるクランプと、該クランプの一方の挟持板上に設けられ、電子発光器または／および電子音響器に電池および釣竿に向かう押圧によりオンする押しボタンスイッチを接続した電気回路と、一端を回動軸として前記押しボタンスイッチをオン可能に揺動するアクチュエータと、前記電子発光器の発光部を視認可能に前記電気回路およびアクチュエータを覆って前記一方の挟持板に取付けられるケーシングと、前記アクチュエータの他端に前記ケーシングから突出して設けられ、魚がかかったときの釣糸のテンション増加によって前記アクチュエータを介して前記押しボタンスイッチをオンする釣糸受けとから魚信報知器を構成するという手段を用いた。なお、押しボタンスイッチとは、押圧操作しているときのみスイッチがオンする位置復帰型のスイッチを言う。
【０００７】
また、ケーシングに釣糸受けと近接して釣糸の外れ止めカバーを設けるという手段を選択的に用いる。
【０００８】
さらに、釣糸受けの具体的構成として、アクチュエータ他端に回転可能に設けたプーリを選択的に採用する。
【０００９】
さらにまた、電気回路の電源スイッチとして、オルタネイトスイッチを選択的に採用する。なお、オルタネイトスイッチとは、カム機構等により、操作する度にオンとオフが切り替わる位置保持型のスイッチを言う。
【発明の効果】
【００１０】
以上説明したように、本発明によれば、釣糸受けを設けたアクチュエータの揺動により前記押しボタンスイッチをオン・オフすることとしたので、簡単な構成により当たりを確実にセンシングできる低コストな魚信報知器を提供することができた。また、電気回路やアクチュエータをケーシング内に収容しているため、これら電気回路やアクチュエータが水や埃等から保護されて耐久性が増すと共に、外観もシンプルにまとまる。さらに、クランプの一部を電気回路の構成基盤として利用するため、部材点数も少なく、より構成が簡素化する。
【００１１】
一方、釣糸の外れ止めカバーを設けたものにあっては、釣糸が不用意に釣糸受けから脱落することが防止される。さらに、釣糸受けをプーリで構成したものにあっては、釣糸の巻取りや繰り出しを阻害することなく、釣り動作を円滑に行うことができる。さらにまた、オルタネイトスイッチを電源スイッチとして採用することにより、全体のオンオフを容易に切り替えることができる。
【発明を実施するための最良の形態】
【００１２】
以下、本発明の好ましい実施の形態を添付した図面に従って説明する。図１は、本発明の一実施形態に係る魚信報知器の一部を切欠した断面図であり、図中１は、一対の挟持板１ａ・１ｂを枢軸１ｃで連結し、且つ、挟持板１ａ・１ｂの枢軸１ｃより後端側にバネ１ｄを介装することで、挟持板１ａ・１ｂの先端側を常態で閉じるようにしたクランプである。なお、１ｅは緩衝と滑り止めを兼ねたスポンジである。
【００１３】
このクランプ１の一方の挟持板１ａは、電気回路２の構成基盤である。即ち、挟持板１ａ上には、その前方にＬＥＤ２ａと押しボタンスイッチ２ｂと電源スイッチとしてのオルタネイトスイッチ２ｃそれぞれを上向きに組み込んだ回路基盤２ｄを、また後方にブザー２ｅを、さらにブザー２ｅの前後に電池群２ｆ（ボタン電池）を設け、これらを配線接続して電気回路２を構成している。さらに、挟持板１ａには、ブザー２ｅのスピーカ孔１ｆを形成している。なお、押しボタンスイッチ２ｂはＬＥＤ２ａとブザー２ｅを通電可能とするものであるが、この実施形態の場合、オルタネイトスイッチ２ｃをオンにしなけアクチュエータ、前記通電は行われないように構成している。
【００１４】
次に、図中の３は、押しボタンスイッチ２ｂを操作するためのアクチュエータであって、後端を回動軸３ａとして、先端側にかかる押圧力によって上下に揺動するよう、挟持板１ａと後述するケーシング５内に組み込まれる。そして、押しボタンスイッチ２ｂの上方に位置して、アクチュエータ３には突起３ｂが下向きに形成されており、アクチュエータ３の下降時に、この突起３ｂが押しボタンスイッチ２ｂを押圧することによって、電気回路２が通電する。なお、このアクチュエータ３には、ＬＥＤ２ａとオルタネイトスイッチ２ｃの透孔３ｃが形成されており、ＬＥＤ２ａやオルタネイトスイッチ２ｃによってもアクチュエータ３の揺動運動が阻害されず、且つ、コンパクトな設計を可能にしている。
【００１５】
さらに、このアクチュエータ３の先端には、溝付きのプーリ４が回動可能に取付けられている。そして、このプーリ４は、外周に円周方向の溝４ａを刻設しており、この溝４ａに上方から釣糸を係止することができる釣糸受けとして機能する。
【００１６】
そして、上述した電気回路２およびアクチュエータ３は、挟持板１ａに取付けられるケーシング５によって保護されている。このとき、プーリ４はケーシング５から突出している。さらに、ケーシング５には、ＬＥＤ２ａとオルタネイトスイッチ２ｃの透孔５ａが形成されており、これらを突出させることで、ケーシング５の外部からＬＥＤ２ａを視認可能とし、且つ、オルタネイトスイッチ２ｃを操作可能としている。
【００１７】
また、この実施形態では、プーリ４の上方に位置して、ケーシング５に釣糸の外れ止めカバー６が一体的に形成されている。この外れ止めカバー６は、プーリ４の上方一部を覆い、スリット６ａ内に釣糸を納めて、釣糸が不用意にプーリ４から脱落しないようにしている。ただし、プーリ４に釣糸をひっかけるときに、妨げとならないことはもちろんである。
【００１８】
続いて、図２は、上記構成の魚信報知器の使用状態を示した斜視図である。この魚信報知器は、同図に示したように、まずクランプ１で釣竿Ｓを挟持し、次にプーリ４に釣糸Ｔを係止することによって、セッティングされる。このとき釣糸Ｔはプーリ４で「へ」の字に、やや屈折した状態に引掛けられる。そして、魚信を監視するには、オルタネイトスイッチ２ｃをオンにする。この状態で、当たりがあったときは釣糸Ｔのテンションが増すことで、前記屈折を解消する方向、つまり、プーリ４を釣竿Ｓ側に押し下げる。この動作によって、プーリ４と連動してアクチュエータ３が下向きに揺動し、押しボタンスイッチ２ｂをオンする。このように、押しボタンスイッチ２ｂがオンすることによって、ＬＥＤ２ａの点灯およびブザー２ｅの音響によって、釣り人が魚信（当たり）のあったことを知ることができる。これ以降は、オルタネイトスイッチ２ｃをオフすることで、電池群２ｆの無用な消耗を防ぐことができ、またブザー２ｅが鳴り続けることを停止することができる。
【００１９】
なお、上記実施形態では、電子発光器としてＬＥＤ２ａを用いたが、豆球や電球であってもく、さらに電子音響器はブザー２ｅに限らず、電子音をなすものであアクチュエータよく、さらに、これらの同時作動と何れか一方の作動とを任意に切り替えるような回路構成とすることも可能である。
【図面の簡単な説明】
【００２０】
【図１】本発明の一実施形態に係る魚信報知器の一部切欠断面図
【図２】同魚信報知器の使用状態を示した斜視図
【符号の説明】
【００２１】
１  クランプ
２  電気回路
２ａ  ＬＥＤ
２ｂ  押しボタンスイッチ
２ｃ  オルタネイトスイッチ
２ｄ  回路基盤
２ｅ  ブザー
２ｆ  電池群
３  アクチュエータ
３ａ  回動軸
４  プーリ
５  ケーシング
６  釣糸の外れ止めカバー
Ｓ  釣竿
Ｔ  釣糸
【図１】
2008005748.tif 000003
【図２】
2008005748.tif 000004